(57)【要約】      （修正有）【課題】電気デバイスのシールハウジング、およびシールハウジングを使用する封止型リレーを提供する。【解決手段】シールハウジング２１０は、ベースと、ベースの内向き面を覆い、それによって電気デバイスの構成要素を収容するためのハウジングを形成するように適合されたカバー２４０と、ベースの外向き面を部分的に覆い、ベースを凝縮流体から保護するように適合された封止板２８０とを備えている。封止板２８０の外面は、封止板２８０の外面に形成される流体または凝縮流体の進路を変えるような形状の輪郭を有しており、したがってベースから突出する端子２２０，２２４間の短絡に起因するデバイスの障害を防止することができる。ベース、カバー２４０、および／または電気端子２２０，２２４間の交差領域は、封止板２８０によって覆われていない交差領域に沿って離散的な領域に封止コンパウンドを付着することによって封止される。【選択図】図２
2019067758.tif 000002
【特許請求の範囲】
【請求項１】
電気デバイス用のシールハウジングであって、
ベース（２３０、３２０）と、
前記ベース（２３０、３２０）の内向き面を覆い、それによって前記電気デバイス（２００、３００、４００）の構成要素を収容するためのハウジングを形成するように適合されたカバー（２４０、３９０、４１０）と、
前記ベース（２３０、３２０）の外向き面を部分的に覆うように適合された封止板（２８０、３７０）とを備えており、
前記封止板（２８０、３７０）の外面が、前記封止板（２８０、３７０）の前記外面に形成される流体または凝縮流体の進路を変えるような形状の輪郭を有する、シールハウジング。
【請求項２】
前記封止板（２８０、３７０）の前記外面は、前記ベース（２３０、３２０）の前記外向き面に対してゼロとは異なる傾斜角だけ傾斜している１つまたは複数の面（２８６）を含んでおり、それにより凝縮流体が前記１つまたは複数の傾斜面（２８６）に沿って下降するようになっている、
請求項１に記載のシールハウジング。
【請求項３】
前記封止板（２８０、３７０）の前記外面は、角錐の形状を形成する複数の傾斜面（２８６）を含む、
請求項１または２に記載のシールハウジング。
【請求項４】
前記封止板（２８０、３７０）は、前記ベース（２３０、３２０）から外方に突出する１つまたは複数の端子（２２０、２２４、３６０）を通すための１つまたは複数の開口（２８２、２８４、３５０）を含んでおり、前記封止板（２８０、３７０）の前記１つまたは複数の開口（２８２、２８４、３５０）はそれぞれ、分離間隙をあけてそれぞれの前記端子を取り囲んでいる、
請求項１から３のいずれか一項に記載のシールハウジング。
【請求項５】
前記封止板（２８０）の前記開口（２８２、２８４）のうちの１つまたは複数が、それぞれの前記端子の周りに閉鎖型流体リザーバを形成する閉鎖型開口（２８２）である、
請求項４に記載のシールハウジング。
【請求項６】
前記封止板（２８０）の前記開口（２８２、２８４）のうちの１つまたは複数が、前記ベース（２３０、３２０）に設けられた排出チャネル（２９０、３８２）内へ開いている、
請求項４または５に記載のシールハウジング。
【請求項７】
前記排出チャネル（２９０、３８２）は、前記カバー（２４０、３９０）との前記ベース（２３０、３２０）の交差縁部に沿って位置しており、かつ／または
前記カバー（２４０、３９０）は、前記排出チャネルに蓄積する前記凝縮流体を前記ベース（２３０、３２０）から放出するために、前記排出チャネルに沿って１つもしくは複数のスロット（２９２、２９４）を含む、
請求項６に記載のシールハウジング。
【請求項８】
１つまたは複数の電気端子（２２０、２２４、３６０）が突出する前記ベース（２３０、３２０）の１つまたは複数の開口（２８２、２８４、３５０）の周りの１つまたは複数の離散的な領域に設けられて、前記電気端子（２２０、２２４、３６０）と前記ベース（２３０、３２０）との間の接合部を封止する封止コンパウンド（２６０、３４０）をさらに含んでおり、
前記１つまたは複数の離散的な領域のサイズが、前記電気端子（２２０、２２４、３６０）を通すために前記封止板（２８０、３７０）に設けられたそれぞれの前記開口（２８２、２８４、３５０）のサイズと実質上一致している、
請求項１から７のいずれか一項に記載のシールハウジング。
【請求項９】
前記封止コンパウンドは、前記封止板（２８０、３７０）の開口とそれぞれの前記端子との間の前記分離間隙を部分的に充填して、前記封止板（２８０、３７０）から進路を変えられた凝縮流体を収集するためのリザーバを形成している、
請求項４から８のいずれか一項に記載のシールハウジング。
【請求項１０】
前記ベース（２３０、３２０）の前記外向き面は、前記封止板（２８０、３７０）の１つまたは複数の開口（２８２、２８４、３５０）の下の整合位置に設けられた１つまたは複数の凹部を備えており、前記１つまたは複数の凹部は、封止コンパウンドで充填されるように適合されている、
請求項１から９のいずれか一項に記載のシールハウジング。
【請求項１１】
前記電気デバイス（２００、３００、４００）は電磁リレーである、
請求項１から１０のいずれか一項に記載のシールハウジング。
【請求項１２】
リレーアセンブリと、
前記リレーアセンブリに結合された１つまたは複数の電気端子（２２０、２２４、３６０）と、
前記リレーアセンブリを収容するための請求項１から１１のいずれか一項に記載のシールハウジングとを備えており、
前記シールハウジングの前記ベース（２３０、３２０）は、前記電気端子（２２０、２２４、３６０）を前記シールハウジングの外側へ通すための１つまたは複数の開口（２８２、２８４、３５０）を備えている、
電磁リレー。
【請求項１３】
電気デバイス（２００、３００、４００）のハウジングのベース（２３０、３２０）を凝縮流体から保護するための封止板であって、電気構成要素の複数の端子（２２０、２２４、３６０）が、前記ベース（２３０、３２０）から突出しており、前記封止板（２８０、３７０）は、
前記ベース（２３０、３２０）から突出する前記端子（２２０、２２４、３６０）を通すための複数の開口（２８２、２８４、３５０）を含んでおり、
前記封止板の外面が、前記封止板（２８０、３７０）が取り付けられる前記ベース（２３０、３２０）の面に対して傾斜している１つまたは複数の面（２８６）を含んでおり、それにより凝縮流体が前記傾斜面（２８６）に沿って下降するようになっている、封止板。
【請求項１４】
前記封止板（２８０、３７０）の前記外面は、角錐の形状を形成する複数の前記傾斜面（２８６）を含んでおり、かつ／または
前記封止板（２８０、３７０）は、凝縮流体を収集するための１つもしくは複数のリザーバを形成するために、前記ベース（２３０、３２０）を部分的に覆い、前記ベース（２３０、３２０）を取り囲むカバー（２４０、３９０、４１０）の縁部および／もしくは前記ベース（２３０、３２０）から外方に突出する要素に対して、１つもしくは複数の分離間隙を残すように適合されている、
請求項１３に記載の封止板。
【発明の詳細な説明】
【技術分野】
【０００１】
本発明は、一般に、電気デバイス用のシールハウジング、ならびに水および結露などの流体の影響から電気デバイスの構成要素を保護するためにシールハウジングを使用する電磁リレーなどの封止型電気デバイスに関し、より詳細には、封止型電気デバイスのすべての取付け方向に対して、ベースから突出する電気デバイスのあらゆる端子を結露によって引き起こされる短絡から保護する封止ベースを有するシールハウジングに関する。
【背景技術】
【０００２】
電気デバイスの構成要素を流体、湿気、および／または結露の侵入から保護するために封止型の液密ハウジングを有する電磁リレーなどの電気デバイスは、凝縮水または着氷が生じる可能性が高い適用分野で頻繁に用いられている。たとえば、そのような状況は、自動車の空調システムの下など、温度が急低下しうる区域内に電気デバイスが取り付けられているときに生じる可能性がある。
【０００３】
図１は、そのような従来の封止型リレー１００の例示的な構成を示す。リレーアセンブリの構成要素（図示せず）は、ハウジング１１０内に収容されており、リレー１００の電気端子１２０が、ハウジング１１０からリレー１００の平坦なベース１３０を通って突出している。ベース１３０を介した封止型リレー１００内への流体、湿気、または塵の侵入は、リレーベース１３０の表面全体に付着された封止接着剤１４０によって防止される。封止型リレー１００のこの構成は、外部からの流体または湿気がリレーハウジング内へ侵入することを実質上防ぐ。しかし、この従来の構成には依然として、リレーベース１３０に存在する外部からの流体または湿気によってリレー端子１３０間に短絡経路が確立され、したがって封止型リレー１００の誤動作しうるという欠点がある。特に、図１に示すように、封止型リレー１００がベース１３０および端子１２０を上向き（すなわち、重力とは反対の方向）にして取り付けられているときなど、封止型リレー１００が端子１２０間の流体または結露の蓄積を助長する向きで取り付けられている場合、リレー端子１２０間に短絡が形成されるというリスクは、実質上増大する。図１に示す封止型リレー１００の別の短所は、大量の封止接着剤１４０を必要とすることであり、それにより生産コストが増大する。
【０００４】
流体の凝縮またはリレーハウジング内への侵入によって誤動作する可能性を低減するための他の解決策も提案されている。たとえば、特開２００２／２１２０１４０９１６Ａは、開放型の電磁リレーを記載しており、カバーによって覆われたコンタクトチャンバ内にリレーコンタクトが設けられ、コンタクトチャンバおよびカバーは、コンタクトチャンバ内への湿気の侵入を防止または抑制するために、２つの部分から形成される樹脂製の管状体によって封止されている。
【０００５】
ＣＮ２０３３６７１１４０３Ｕは、防水型の自動車用リレーを記載しており、防水型の自動車用リレーの上部カバーおよび下部カバーが、塵および水からの封止機能ならびにリレーアセンブリによって放散される熱の伝導を改善するために、防水の熱伝導性接着剤によって封止して接続されている。
【０００６】
米国特許出願公開第１２０１２０３０１４０３７（Ａ）号は、封止型コンタクトチャンバ内で使用するためのゲッタを記載しており、ゲッタは、電気コンタクトに抵抗膜を形成する可能性のある物質を吸着する働きをする多孔質ゲッタ材料からなる。
【０００７】
しかし、上記の構成は、ハウジングの内側に位置する構成要素を流体または湿気の侵入から保護することを実質上改善する可能性はあるが、ハウジングの外側に位置する電気端子を湿気または凝縮の影響から実質上保護することはない。その結果、端子間の短絡を引き起こすリスクを冒さずに、それぞれの封止型リレーを任意の向きに取り付けることはできない。
【０００８】
したがって、封止型電気デバイスの取付け方向とは関係なく、流体または結露の存在が生じる可能性が高い環境内で固定して使用することができ、費用効果が高く、リレー端子間の結露または湿気によって障害が引き起こされるリスクを低減しまたはさらには解消する、電磁アレイなどの電気デバイス用のシールハウジング、およびシールハウジングを使用するそれぞれの封止型電気デバイスがやはり必要とされている。
【先行技術文献】
【特許文献】
【０００９】
【特許文献１】特開２００２／２１２０１４０９１６
【特許文献２】ＣＮ２０３３６７１１４０３Ｕ
【特許文献３】米国特許出願公開第１２０１２０３０１４０３７（Ａ）号
【発明の概要】
【発明が解決しようとする課題】
【００１０】
本発明は、従来技術の欠点および短所を考慮してなされたものであり、その目的は、流体の侵入からハウジング内の電気デバイスの構成要素を実質上保護するとともに、電気デバイスの端子間で結露または湿気によって引き起こされる短絡に起因して誤動作するリスクを低減しまたはさらには解消する、リレーなどの電気デバイス用の費用効果の高いシールハウジングを提供することである。本発明のさらなる目的は、シールハウジングを使用する封止型リレーを提供することである。本発明のさらなる目的は、電気デバイスの端子ベースおよびそれぞれの電気端子を流体、結露、または湿気から保護する封止板を提供することである。
【課題を解決するための手段】
【００１１】
これらの目的は、添付の独立請求項の主題によって解決される。本発明の有利な実施形態は、添付の従属請求項の主題である。
【００１２】
本発明によれば、電気デバイス用のシールハウジングであって、ベースと、ベースの内向き面を覆い、それによって電気デバイスの構成要素を収容するためのハウジングを形成するように適合されたカバーと、ベースの外向き面を部分的に覆うように適合された封止板とを備えており、封止板の外面が、封止板の外面に形成される流体または凝縮流体の進路を変えるような形状の輪郭を有する、シールハウジングが提供される。
【００１３】
さらなる発展形態によれば、封止板の外面は、ベースの外向き面に対してゼロとは異なる傾斜角だけ傾斜している１つまたは複数の面を含んでおり、それにより凝縮流体が１つまたは複数の傾斜面に沿って下降するようになっている。
【００１４】
さらなる発展形態によれば、封止板の外面は、角錐の形状を形成する複数の傾斜面を含む。
【００１５】
さらなる発展形態によれば、封止板は、ベースから外方に突出する１つまたは複数の端子を通すための１つまたは複数の開口を含んでおり、封止板の１つまたは複数の開口はそれぞれ、分離間隙をあけてそれぞれの端子を取り囲んでいる。
【００１６】
さらなる発展形態によれば、封止板の開口のうちの１つまたは複数は、それぞれの端子の周りに閉鎖型流体リザーバを形成する閉鎖型開口である。
【００１７】
さらなる発展形態によれば、封止板の開口のうちの１つまたは複数は、ベースに設けられた排出チャネル内へ開いている。
【００１８】
さらなる発展形態によれば、排出チャネルは、カバーとのベースの交差縁部に沿って位置しており、かつ／またはカバーは、排出チャネルに蓄積する凝縮流体をベースから放出するために、前記排出チャネルに沿って１つもしくは複数のスロットを含む。
【００１９】
さらなる発展形態によれば、シールハウジングは、１つまたは複数の電気端子がベースから突出するベースの１つまたは複数の開口の周りの１つまたは複数の離散的な領域に設けられて、電気端子とベースとの間の接合部を封止する封止コンパウンドをさらに含んでおり、１つまたは複数の離散的な領域のサイズは、電気端子を通すために封止板に設けられたそれぞれの開口のサイズと実質上一致している。
【００２０】
さらなる発展形態によれば、封止コンパウンドは、封止板の開口とそれぞれの端子との間の分離間隙を部分的に充填して、封止板から進路を変えられた凝縮流体を収集するためのリザーバを形成している。
【００２１】
さらなる発展形態によれば、ベースの外向き面は、封止板の１つまたは複数の開口の下の整合位置に設けられた１つまたは複数の凹部を備えており、１つまたは複数の凹部は、封止コンパウンドで充填されるように適合されている。
【００２２】
さらなる発展形態によれば、電気デバイスは電磁リレーである。
【００２３】
本発明によれば、リレーアセンブリと、リレーアセンブリに結合された１つまたは複数の電気端子と、リレーアセンブリを収容するための上記請求項のいずれか一項に記載のシールハウジングとを備えており、シールのベースが、電気端子をシールハウジングの外側へ通すための１つまたは複数の開口を備えている、電磁リレーが提供される。
【００２４】
本発明によれば、電気デバイスのハウジングのベースを凝縮流体から保護するための封止板であって、電気構成要素の複数の端子がベースから突出しており、封止板が、ベースから突出する端子を通すための複数の開口を含んでおり、封止板の外面が、ベースのうち封止板が取り付けられる面に対して傾斜している１つまたは複数の面を含んでおり、それにより凝縮流体が傾斜面に沿って下降するようになっている、封止板が提供される。
【００２５】
さらなる発展形態によれば、封止板の外面は、角錐の形状を形成する複数の傾斜面を含んでおり、かつ／または封止板は、凝縮流体を収集するための１つもしくは複数のリザーバを形成するために、ベースをカバーによって部分的に覆い、ベースを取り囲むカバーの縁部および／もしくはベースから外方に突出する要素に対して、１つもしくは複数の分離間隙を残すように適合されている。
【００２６】
添付の図面は、本発明の原理について説明する目的で、本明細書に組み込まれており、その一部を形成する。これらの図面は、本発明をどのように実施および使用することができるかに関して図示および記載する例のみに本発明を限定すると解釈されるべきではない。
【００２７】
さらなる機構および利点は、添付の図面に示す本発明の以下のより詳細な説明から明らかになるであろう。
【図面の簡単な説明】
【００２８】
【図１】従来技術の構成による封止型リレーを示す図である。
【図２】電気端子を上向きにして見たときの、本発明の一実施形態による封止型リレーおよび封止型リレーのシールハウジングの斜視図である。
【図３】ベースおよびカバーがともに組み立てられたときの、電気端子側から見た組立ての初期段階における封止型リレーの斜視図である。
【図４】リレーベース、リレーカバー、および／またはリレー電気端子間の交差領域に沿って封止コンパウンドが付着されたときの、組立ての中間段階にある封止型リレーの斜視図である。
【図５】封止板がリレーベースの上に取り付けられたときの、組立ての最終段階にあるリレーの斜視図である。
【図６】リレーベース側から見た図２の封止型リレーの上面図である。
【図７】さらなる実施形態による封止型リレーの断面図である。
【図８】リレーカバー側から見たときの、図２に示す封止型リレーのさらなる斜視図である。
【発明を実施するための形態】
【００２９】
次に本発明について、本発明の例示的な実施形態が示されている添付の図面を参照しながら、以下でより詳細に説明する。しかし、本発明は、多くの異なる形態で実施することができ、本明細書に記載の実施形態に限定されると解釈されるべきではない。逆に、これらの実施形態は、本開示が徹底的かつ完全になり、本発明の範囲を当業者に完全に伝えるように提供される。特に、例示的な実施形態の特定の機構について、「頂部」、「底部」、「上部」、「外方」、および「内方」などの用語を使用して以下で説明するが、これらの用語は、それぞれの機構およびそれらの相対的な向きについての説明を容易にする目的のみで使用されるものであり、請求される本発明またはその構成要素のいずれかを特定の空間的な向きでの使用に限定すると解釈されるべきではない。説明全体にわたって、同様の数字は同様の要素を指す。
【００３０】
図２は、本発明の一実施形態によるシールハウジング２１０を使用する封止型リレー２００の斜視図である。図２で、封止型リレー２００は、リレー端子２２０、２２４が上向きになる取付け方向で示されている。シールハウジング２１０は、ベース２３０の内側にリレーアセンブリ（図示せず）を取り付けるためのベース２３０と、リレーアセンブリを覆うためのカバー２４０とを備える。わかりやすくするために、以下、リレーベース２３０のうちハウジング２１０の内側を向いている面を内向き面と呼び、ハウジング２１０の外側を向いている面を外向き面と呼ぶものとする。リレーベース２３０およびリレーカバー２４０はともに嵌合されて、リレーアセンブリの構成要素（図示せず）を内側に収容するための閉鎖型チャンバを形成する。
【００３１】
図３に示すように、リレーアセンブリを外部電気回路に結合するために、１つまたは複数の電気端子２２０、２２４をベース２３０の外向き面に通すための１つまたは複数の開口２５０が、リレーベース２３０に設けられる。塵、流体、または湿気が電気端子２２０、２２４のためのベース開口２５０を通ってハウジング２１０に侵入するのを防止するために、各ベース開口２５０とそれぞれの端子２２０、２２４との間の接合部が、接着剤などの封止コンパウンド１４０によって、外側から封止される。封止コンパウンド１４０は、リレーベース２３０の外向き面において、開口およびそれぞれの端子の周りの離散的な領域２６０に付着される。
【００３２】
カバー２４０とリレーベース２３０との間の接合部の液密性は、カバー２４０の側壁をリレーベース２３０の側面に重ねて、リレーベース２３０の外面をわずかに越えるようにして、リレーベース２３０の外面に交差縁部を形成することによって改善することができ、交差縁部は、交差縁部に沿って封止コンパウンドの細片２７０を付着することによって封止することができる。図４は、リレーアセンブリおよびリレーベース２３０がリレーカバー２４０によって閉鎖され、それぞれリレー端子２２０、２２４の周りにベース２３０の交差縁部に沿って封止コンパウンドが離散的なパッチ２６０および細片２７０として付着された後の、封止型リレー２００の中間組立て段階を示す。
【００３３】
したがって、封止コンパウンド１４０がリレーベース１３０全体に付着される図１に示す従来のリレーとは対照的に、本発明では、封止コンパウンド１４０は、ベース２３０とカバー２４０との間の交差縁部を一周する、および／または、電気端子２２０、２２４とリレーベース２３０のそれぞれの開口２５０との間の交差部における、離散的な領域２６０、２７０のみに付着される。
【００３４】
ハウジングベース２３０の液密性をさらに改善し、リレーベース２３０から外方へ突出する電気端子２２０、２２４間に蓄積する結露および／または流体に起因する短絡の発生を防止するために、図５を参照して次に説明するように、リレーベース２３０の区域を部分的に覆い、電気端子２２０、２２４を互いに分離するための封止板を設けることができる。
【００３５】
図５に示すように、封止板２８０は、リレーベース２３０から突出する電気端子２２０、２２４を通すための１つまたは複数の開口２８２、２８４を有するカットプロファイル（ｃｕｔ  ｐｒｏｆｉｌｅ）を有する。封止板２８０の各開口２８２、２８４は、封止板２８０が電気端子２２０、２２４に直接接触しないように、それぞれの電気端子に対する分離間隙を見込んでサイズ設定されている。好ましくは、開口２８２、２８４の寸法は、リレーベース２３０から突出する各電気端子２２０、２２４の周りに堆積させた封止コンパウンドの離散的なパッチ２６０のサイズと整合されており、したがって封止板２８０がリレーベース２３０の上に配置されているとき、封止板２８０および封止コンパウンド２６０は、互いに密に接触するが重ならないようになっている。したがって、封止板の開口２８２、２８４の縁部もまた、封止コンパウンドのパッチ２６０によって封止され、それにより液体または湿気が封止板２８０とリレーベース２３０との間の空間に侵入することを防ぐ。したがって、封止板２８０によって覆われていないベース２３０、カバー２４０、および／または電気端子２２０、２２４間の交差領域のみに封止材料が付着されるため、封止コンパウンドの量を大幅に削減することができる。
【００３６】
封止板２８０、特にその各開口２８２、２８４の縁部における厚さは、好ましくは、リレーベース２３０に堆積させた封止材料の厚さより大きく、したがって封止板２８０はまた、リレーベース２３０から突出する端子２２０、２２４を互いに分離し、したがってリレー端子２２０、２２４間の湿気または結露の蓄積によって短絡経路が確立されることを防止する物理的な障壁としても働く。さらに、各電気端子２２０、２２４の周りの封止コンパウンドのパッチ２６０と封止板２８０の縁部との間の厚さの差によって、それぞれの分離間隙の幅を有する流体リザーバが、各電気端子２２０、２２４の周りに形成され、それにより後に説明するように、電気端子２２０、２２４の周りに形成されかつ／または封止板２８０から進路が変えられうるあらゆる流体または結露を局所化することが可能になる。
【００３７】
図５に示すように、封止板開口のうちの１つまたは複数は、ベース２３０でそれぞれの電気端子２２０を隣接する端子から完全に分離する閉鎖型開口２８２とすることができる。他方では、複数の封止板開口２８４は、それぞれの端子２２４の周りのリザーバ２８４内に蓄積した流体の排出を可能にするように、排出チャネル２９０内へ開くことができる。電気端子２２０、２２４の位置および／またはサイズに応じて、閉鎖型開口２８２および開放型開口２８４の混合した分布を封止板２８０に提供することができる。たとえば、封止板２８０の周りに開放型リザーバ２８４および閉鎖型リザーバ２８２を交互に配置して、隣接する端子を互いに分離し、開放型リザーバ内に蓄積した流体によって排出チャネル２９０を介して最終的に形成されうるあらゆる接続経路の長さを最大にすることができる。開放型開口２８４はまた、最も大きいリレー端子２２４および／またはより大量の結露が生じる可能性が高い区域に割り当て、開放型開口２８４内に蓄積した流体を、排出チャネル２９０を介して放出することを可能にすることもできる。
【００３８】
ベース縁部の周りに設けられた排出チャネル２９０の一例が、図５に示されている。排出チャネル２９０は、リレーベース２３０上に取り付けられたとき、リレーカバー２４０の側壁に対して距離をあけるように、封止板２８０を寸法設定することによって形成される。その結果、カバー縁部に対する距離の幅を有する排出チャネル２９０が、下にあるリレーベース２３０の周囲に形成される。排出チャネル２９０は、特に封止型リレー２００が上向きに取り付けられているときは封止板２８０からリレーベース２３０の縁部の方へ進路を変えられ、ならびに排出チャネル２９０内へ開いている電気端子２２４の周りのリザーバ２８４のいずれかから進路を変えられた湿気または結露を、受け取って蓄積することができる。排出チャネル２９０の高さは、リレーベース縁部の周りに堆積させた封止コンパウンドの厚さと封止板の縁部の厚さとの間の差にほぼ等しい。
【００３９】
排出チャネル２９０内に蓄積した流体をリレーベース２３０から離れる方へ排出することは、排出チャネル２９０に沿ってリレーカバー２４０に１つまたは複数の切れ目またはスロット２９２を設けることによって容易にすることができる。図示の実施形態では、カバー２４０の各側面に位置する排出チャネル２９０は、より大量の流体が蓄積することが予期されるカバーの隅部のより近くに配置された２つのスロット２９２、２９４を有する。しかし、排出スロットの数は、図示の実施形態に限定されるものではなく、特有の要件に応じて、より大きいまたはより小さい数の排出スロットを設けることができる。さらに、図５に示す実施形態では、排出チャネル２９０はリレーベース２３０の周囲全体に沿って通っているが、排出チャネル２９０がリレーベース縁部の一部分のみにわたって、たとえばより多くの流体が蓄積することが予期される区域で延びる他の構成も想定することができる。
【００４０】
封止板２８０に形成される流体または結露をリレー端子２２０、２２４から離れて優先的に流体リザーバ２８２、２８４および／または上述した排出チャネル２９０の方へそらすために、封止板２８０は、外向きの輪郭を備えることができ、すなわち封止型リレー２００が取り付けられている向きに関係なく、リレーベース２３０の方を向いている面とは反対側の外面に、封止板２８０に蓄積した凝縮流体の進路を特定の方向に沿って電気端子２２０、２２４から離れる方へ変えるように設計された平坦でない輪郭を有する形状とすることができる。たとえば、封止板２８０の外面は、リレーベース２３０に対して傾斜している１つまたは複数の面２８６を有することができる。傾斜面２８６は、実質上それぞれの傾斜角および封止型リレー２００の向きによって決まる方向に沿って、封止板２８０に形成されうる流体または結露の進路を変える。
【００４１】
好ましくは、封止板２８０の外面は、ベース２３０に対して類似のまたは異なる傾斜角を有する複数の傾斜面２８６を含み、それにより、封止型リレー２００のすべての向きで流体がリレー端子２２０、２２４から離れる方へ進路を変えることが確実になる。たとえば、図５に示す構成において、外面は、４つの傾斜面２８６を含み、各傾斜面２８６は、リレー端子２２０、２２４を通すためのそれぞれの開口２８２、２８４を備えた三角形の形状を有し、同じ傾斜角αだけリレーベース２３０に対して傾斜しており、その結果、角錐の形状を有する外面が得られる。次いで、図５に示す向きと同様にリレー端子２２０、２２４を上向きにして封止型リレー２００が取り付けられているとき、各傾斜面２８６に形成された結露は、好ましくは、それぞれの傾斜面２８６の下縁部にすぐ対向する排出チャネル２９０の方へ進路を変えられる。リレー端子２２０、２２４を下向きにして封止型リレー２００が取り付けられている場合、封止板２８０に形成される流体は、傾斜面２８６に沿って封止板２８０の中心２９６の方へ進路が変えられ、次いで重力の作用によって封止板２８０から単に落下する。
【００４２】
特に封止型リレー２００が上向きに取り付けられているとき、それぞれの傾斜面に沿って下降する凝縮流体をリレーベース２３０の隅部で再収集することを容易にするために、封止板２８０の外面の各隅部に追加の機構２８８を設けることができる。たとえば、図５に示すように、傾斜面２８６に沿って下降する流体を封止板２８０の隅部に蓄積し、この流体を排出スロット２９２、２９４の方へ案内するために、２つの隣接する傾斜面２８６が接合され、リレーカバー２４０の排出スロット２９２、２９４と実質上位置合わせされた封止板２８０の各隅部に、平坦な窪み２８８を設けることができる。したがって、この構成で、凝縮流体は、封止板２８０の平坦でない輪郭によって、リレーベース２３０の隅部の方へ効率的に進路が変えられ、リレーベース２３０の隅部から容易に放出することができる。
【００４３】
図６に、リレーベース２３０に取り付けられた封止板２８０の上面図が、図５に示す角錐の形状の傾斜面２８６に対応する４つの三角形の区分および封止板２８０の各隅部に位置するそれぞれの平坦な窪み２８８の配置を例示するために示されている。
【００４４】
図７は、本発明のさらなる実施形態による封止型リレー３００およびそれぞれのシールハウジング３１０の断面図を示す。本実施形態は、図３〜６を参照して説明した実施形態とは本質的に異なり、リレーベース３２０は、封止コンパウンド３４０の粘着を容易にするために１つまたは複数の窪み３３０を外向き面に含んでおり、ならびに封止コンパウンドが付着される特定の離散的な領域にリレーベース３２０を画定することによって、それぞれの封止作用がさらに改善される。
【００４５】
たとえば、図７に示すように、リレーベースの開口３５０およびリレーベース３２０から突出している対応するリレー端子３６０のそれぞれを一周する１つまたは複数の凹部３３０を設けることができる。これらの凹部３３０は、好ましくは、封止板３７０の開口の下の整合位置に設けられる。
【００４６】
加えて、この目的でベース３３０とハウジングカバー３９０との間の交差部に沿ってリレーベース３２０に形成された封止溝３８２に、封止コンパウンドの細片３８０を選択的に付着することができる。図７に示すように、封止溝３８２は、ベース３２０の外向き面の上にわずかに延びるカバー３９０の側縁部およびベース３３０のうちカバー３９０に接触する側面に画定された凹部によって形成することができる。
【００４７】
封止凹部３３０および封止溝３８２は、ベース３２０に付着される封止コンパウンドの量を低減するために、リレーベース３２０のうち封止作用が実際に必要とされる選択された離散的な領域に封止コンパウンド３４０を固定するためのリザーバとして働く。さらに、これらの機構により、封止コンパウンドがリレーベースの上で電気端子の周りおよび／またはベースとカバーとの間の交差部に単に付着される場合と比べて、ベース３２０に対する封止コンパウンド３４０の粘着を改善することが可能になる。
【００４８】
図８は、ハウジングカバー４１０の上面から見た封止型リレー４００の斜視図であり、封止コンパウンドを硬化させてリレーを完全に封止した後に閉鎖される切取り機構４２０を示している。
【００４９】
最後に、本発明について上記では、リレー用のシールハウジングおよびシールハウジングを使用するそれぞれの封止型リレーを参照して主に説明してきたが、本発明の原理はまた、有利には、電気デバイスの外面に蓄積する結露および／または湿気によって引き起こされる短絡からのそれぞれの電気端子の効率的な保護を必要とする他のタイプの電気および／または電子デバイスに適用することができる。
【符号の説明】
【００５０】
１００  従来の封止型リレー
１１０  ハウジング
１２０  リレー端子
１３０  リレーベース
１４０  封止接着剤
２００  封止型リレー
２１０  シールハウジング
２２０、２２４  リレー端子
２３０  リレーベース（実施形態１）
２４０  リレーカバー
２５０  電気端子用の端子開口
２６０  開口の周りに位置する封止コンパウンド
２７０  ベース端部に沿って位置する封止コンパウンドの細片
２８０  封止板
２８２  封止板の閉鎖型開口
２８４  封止板の開放型開口
２８６  封止板の傾斜面
２８８  封止板の平坦な窪み
α  傾斜角
２９０  排出チャネル
２９２、２９４  カバー内のスロット
２９６  封止板の中心
３００  封止型リレー（実施形態２）
３１０  シールハウジング
３２０  リレーベース
３３０  リレーベースの凹部
３４０  封止コンパウンド
３５０  リレーベース開口
３６０  電気端子
３７０  封止板
３８０  封止コンパウンドの細片
３８２  ベース縁部に沿って位置する封止溝
３９０  ハウジングカバー
３９５  リレーアセンブリ
４００  封止型リレー
４１０  ハウジングカバー
４２０  切取り機構
【図１】
2019067758.tif 000003
【図２】
2019067758.tif 000004
【図３】
2019067758.tif 000005
【図４】
2019067758.tif 000006
【図５】
2019067758.tif 000007
【図６】
2019067758.tif 000008
【図７】
2019067758.tif 000009
【図８】
2019067758.tif 000010
【手続補正書】
【提出日】平成30年11月22日(2018.11.22)
【手続補正１】
【補正対象書類名】明細書
【補正対象項目名】０００４
【補正方法】変更
【補正の内容】
【０００４】
流体の凝縮またはリレーハウジング内への侵入によって誤動作する可能性を低減するための他の解決策も提案されている。たとえば、特開２００２−２４５９１６号公報は、開放型の電磁リレーを記載しており、カバーによって覆われたコンタクトチャンバ内にリレーコンタクトが設けられ、コンタクトチャンバおよびカバーは、コンタクトチャンバ内への湿気の侵入を防止または抑制するために、２つの部分から形成される樹脂製の管状体によって封止されている。
【手続補正２】
【補正対象書類名】明細書
【補正対象項目名】０００６
【補正方法】変更
【補正の内容】
【０００６】
米国特許第４，４３０，５３７号公報は、封止型コンタクトチャンバ内で使用するためのゲッタを記載しており、ゲッタは、電気コンタクトに抵抗膜を形成する可能性のある物質を吸着する働きをする多孔質ゲッタ材料からなる。
【手続補正３】
【補正対象書類名】明細書
【補正対象項目名】０００９
【補正方法】変更
【補正の内容】
【０００９】
【特許文献１】特開２００２−２４５９１６号公報
【特許文献２】ＣＮ２０３３６７１１４０３Ｕ
【特許文献３】米国特許第４，４３０，５３７号公報
【手続補正書】
【提出日】平成31年2月25日(2019.2.25)
【手続補正１】
【補正対象書類名】明細書
【補正対象項目名】０００５
【補正方法】変更
【補正の内容】
【０００５】
ＣＮ２０３３６７１５３Ｕは、防水型の自動車用リレーを記載しており、防水型の自動車用リレーの上部カバーおよび下部カバーが、塵および水からの封止機能ならびにリレーアセンブリによって放散される熱の伝導を改善するために、防水の熱伝導性接着剤によって封止して接続されている。
【手続補正２】
【補正対象書類名】明細書
【補正対象項目名】０００９
【補正方法】変更
【補正の内容】
【０００９】
【特許文献１】特開２００２−２４５９１６号公報
【特許文献２】ＣＮ２０３３６７１５３Ｕ
【特許文献３】米国特許第４，４３０，５３７号公報
【外国語明細書】
2019067758000001.pdf